(57)【要約】【課題】腕時計の環状バンドが装着可能であり、肘を曲げることができないときに文字盤が見易くなる腕時計装着可能なグローブを提供することを課題とする。【解決手段】腕時計装着可能なグローブ１０で、左のハンドリグリップ３８を握っているときの模様が示される。利用者の腕３９の長手中心軸４１に、時計本体３６の文字盤４２の十二時４３と六時４４とを結ぶ線４５が平行である。三時４６が右、九時４７が左になるため、文字盤４２が見易くなる。すなわち、文字盤４２を見るために腕３９を曲げる必要がなく、利用者はハンドルグリップ３８を握ったままで、容易に時刻を確認することができる。【選択図】図６
2008031607.tif 000002
【特許請求の範囲】
【請求項１】
手袋本体に腕時計を装着することができる腕時計保持部材を備えたグローブにおいて、前記腕時計保持部材は、少なくとも一端が前記手袋本体に止め具で着脱自在に止められ、環状ベルトを備えているブレスレット形腕時計を保持することができることを特徴とする腕時計装着可能なグローブ。
【請求項２】
前記腕時計保持部材は、前記手袋本体の手首覆い部に備えられ、利用者の手首に締付ける締付けバンドを兼ねることを特徴とする請求項１記載の腕時計装着可能なグローブ。
【請求項３】
手袋本体に腕時計を装着することができる腕時計保持部材を備えたグローブにおいて、前記腕時計保持部材は、前記腕時計のバンドの延出方向が、利用者の腕の長手中心軸に平行になるように腕時計を保持する部材であることを特徴とする腕時計装着可能なグローブ。
【請求項４】
手袋本体に腕時計を装着することができる腕時計保持部材を備えたグローブにおいて、前記腕時計保持部材は、利用者の腕の長手中心軸より利用者の身体の中心側へ寄った位置で腕時計を保持する部材であることを特徴とする腕時計装着可能なグローブ。
【発明の詳細な説明】
【技術分野】
【０００１】
本発明は、手袋本体に腕時計を装着することができる腕時計保持部材を備えたグローブに関する。
【背景技術】
【０００２】
種々のグローブのうちで、スキーヤーが着用するスキー用グローブや自動二輪車のライダーが着用するライダー用グローブは、指や甲だけでなく、利用者の手首を完全に覆う形態のものが普及している。この形態のもので、手首に嵌めている腕時計を見るには、グローブの手首覆い部をめくる必要がある。しかし、走行中であれば、ライダーは、通常左右の手で左右のハンドルを握っているため、グローブの手首覆い部をめくることができない場合がある。
【０００３】
この対策として、グローブの手首覆い部をめくらなくても時計を見ることができる、腕時計装着可能なグローブが提案されいる（例えば、特許文献１参照。）。
【特許文献１】実用新案登録第３０４７４７７号公報（図１、図２）
【０００４】
周知の通り、腕時計は時計本体とバンドとからなる。そして、バンドには、２個のバンド半体を時計本体から各々延ばし、一方のバンド半体に複数の小穴を開け、他方の半体に留め具を設け、この留め具を複数の小穴の何れかに掛止める形態の「分割バンド」が知られている。また、バンドには、中折れ金具を備えたことで分割する必要がない「環状バンド」が実用に供されている。この環状バンドに、複数の金属駒等を弾性材料で連結したブレスレット形バンドを含む。
【０００５】
特許文献１のスキー用グローブは、分割バンドを備えた腕時計を対象とする。すなわち、特許文献１の図１において、時計本体から延ばした一方のバンド半体を、時計ベルト挿入口６に挿入し、時計本体から延ばした他方のバンド半体を、時計ベルト挿入口７に挿入する。次に、窓面８を備えているフラップ状部２Ａを閉じる。すると、特許文献１の図２に示されるように、窓部８の奥に時計本体を収納することができる。利用者は何時でも窓部８を通して時計本体を見ることができる。
【０００６】
しかし、上述したように、時計には、分離バンドを備えたものと、環状バンドを備えたものがあり、環状バンドでは、上記スキー用グローブに装着できない。
【０００７】
また、腕時計は、肘を約９０°曲げて、三時が右、九時が左になるように利用者が腕を曲げることを前提として、文字盤などが設定されている。
この点、前記スキー用グローブのような装着構造では、ライダーがハンドルを握っていると、三時が前に向き、十二時は左側に向くようになる。
【０００８】
このように、従来の腕時計装着可能なグローブでは、分離バンドを備えた時計に使用が限定されると共に、肘を曲げることができないときには文字盤が見づらいという問題がある。
【発明の開示】
【発明が解決しようとする課題】
【０００９】
本発明は、腕時計の環状バンドが装着可能であり、肘を曲げることができないときに文字盤が見易くなる腕時計装着可能なグローブを提供することを課題とする。
【課題を解決するための手段】
【００１０】
請求項１に係る発明は、手袋本体に腕時計を装着することができる腕時計保持部材を備えたグローブにおいて、前記腕時計保持部材は、少なくとも一端が前記手袋本体に止め具で着脱自在に止められ、環状ベルトを備えているブレスレット形腕時計を保持することができることを特徴とする。
【００１１】
請求項２に係る発明では、腕時計保持部材は、手袋本体の手首覆い部に備えられ、利用者の手首に締付ける締付けバンドを兼ねることを特徴とする。
【００１２】
請求項３に係る発明は、手袋本体に腕時計を装着することができる腕時計保持部材を備えたグローブにおいて、前記腕時計保持部材は、前記腕時計のバンドの延出方向が、利用者の腕の長手中心軸に平行になるように腕時計を保持する部材であることを特徴とする。
【００１３】
請求項４に係る発明は、手袋本体に腕時計を装着することができる腕時計保持部材を備えたグローブにおいて、前記腕時計保持部材は、利用者の腕の長手中心軸より利用者の身体の中心側へ寄った位置で腕時計を保持する部材であることを特徴とする。
【発明の効果】
【００１４】
請求項１に係る発明では、腕時計保持部材の一端を腕時計の環状バンドに挿入した後に、当該一端を手袋本体に止めることで容易に腕時計を保持でき、また、分離バンドだけでなく、環状バンドをも、手袋本体に装着することができる。
【００１５】
請求項２に係る発明では、手袋本体に装備される締付けバンドを腕時計保持部材に兼用させたので、腕時計保持部材の材料費、取付費を圧縮することができ、安価なグローブを提供することができる。
【００１６】
請求項３に係る発明では、腕時計のバンドの延出方向が、利用者の腕の長手中心軸に平行になるようにした。肘を伸ばしたときに、アナログ時計であれば、三時が右、九時が左になるため、文字盤が見易くなり、デジタル時計であれば、一般に時刻を表示する数字が左右方向に並ぶため、同様に、文字盤が見易くなる。すなわち、文字盤を見るために腕を曲げる必要がなく、自動二輪車であれば、ライダーはハンドルグリップを握ったままで、容易に時刻を確認することができる。
【００１７】
請求項４に係る発明では、利用者の腕の長手中心軸より利用者の身体の中心側へ寄った位置に腕時計を保持させることができる。文字盤が利用者の眼に近づくため、利用者は、より簡単に時刻を確認することができる。
【発明を実施するための最良の形態】
【００１８】
本発明を実施するための最良の形態を添付図に基づいて以下に説明する。
図１は本発明に係る腕時計装着可能なグローブの全体図であり、腕時計装着可能なグローブ１０は、親指収納部１１、人差し指収納部１２、中指収納部１３、薬指収納部１４、小指収納部１５及び手首覆い部１６を有する手袋本体１７と、この手袋本体１７の手首覆い部１６に付設した帯状の腕時計保持部材２０とからなる。なお、本例のグローブ１０は５本指手袋であるが、用途によっては、中指から小指までは一体になった３本指手袋や、人差し指から小指まで一体になた２本指手袋であっても差し支えない。
【００１９】
腕時計保持部材２０は、帯体２１と、この帯体２１の基部又は途中部分を手袋本体１７に縫付けた縫付け部２２と、帯体２１の先端部に設けた留め具としてのホック雌具２３、２４と、縫付け部２２とホック雌具２３、２４との間にて帯体２１にプリントした時計マーク２５と、この時計マーク２５のベルトマークに被さるようにホック雌具２４から延ばした第１フラップ２６とからなる。
【００２０】
図２は図１で説明した第１フラップの作用図であり、第１フラップ２６は、ホック雌具２４を固定点にして、図面表裏方向へ任意にめくることができ、面ファスナー２７、２８により、帯体２１に固定することができる。
【００２１】
図３は図１で説明した帯体の作用図であり、帯体２１は、縫付け部２２（図１）を固定部として図示するようにめくることができる。ホック雌具２３、２４は、手袋本体１７に設けたホック雄具２９、２９に嵌合することができる。この結果、帯体２１を手袋本体１７に固定することができる。
また、帯体２１の裏面（図では手前の面）には、一端が縫付け固定部３１で固定された第２フラップ３２が設けられている。
【００２２】
図４は図３で説明した第２フラップの作用図であり、第２フラップ３２は、縫付け固定部３１（図３）を固定点にして、図面表裏方向へ任意にめくることができ、面ファスナー３３、３４により、帯体２１の裏面に固定することができる。
【００２３】
以上の述べた腕時計装着可能なグローブの作用を次に述べる。
図５は腕時計装着可能なグローブの作用説明図であり、先ず（ａ）に示すように、帯体２１をめくり、第２フラップ３２をめくる。そして、時計本体３６から延びている環状バンド３７を矢印のように帯体２１に被せる。次に、第２フラップ３２を閉じる。すると（ｂ）に示す形態となる。次に帯体２１を閉じて、ホック雄具２９、２９にホック雌具２３、２４を嵌合する。すると、（ｃ）に示す形態となる。そこで、第１フラップ２６を閉じる。これで（ｄ）に示す形態を得る。
【００２４】
環状バンド３７が金属の鎖である場合は、駒が図面左右に移動しがちである。第１フラップ２６及び第２フラップ３２で固定したため、時計本体３６及び環状バンド３７が図面左右へ移動する心配はない。
【００２５】
図６は腕時計装着可能なグローブの使用状態を説明する図であり、腕時計装着可能なグローブ１０で、自動二輪車の左のハンドリグリップ３８を握っているときの模様が示される。４１は利用者の腕３９の長手中心軸である。４５はバンドの延出方向であり、アナログ時計であれば、時計本体３６の文字盤４２における十二時４３と六時４４とを結ぶ線である。この線４５は腕３９の長手中心軸４１に平行（ほぼ平行を含む。）である。三時４６が右、九時４７が左になるため、文字盤４２が見易くなる。すなわち、文字盤４２を見るために腕３９を曲げる必要がなく、利用者（ライダー）はハンドルグリップ３８を握ったままで、容易に時刻を確認することができる。
【００２６】
上記目的を達成するためには、十二時４３と六時４４とを結ぶ線４５が長手中心軸４１に平行であればよいから、十二時４３と六時４４とを結ぶ線４５が長手中心軸４１の上や、長手中心軸４１の左又は右に在って差し支えない。
しかし、好ましくは、文字盤４２の中心が長手中心軸４１から距離Ｌだけ、利用者の身体の中心（自動二輪車の幅方向中心）側に寄った位置になるようにする。文字盤が利用者の眼に近づくため、利用者は、より簡単に時刻を確認することができる。
【００２７】
以上、時計本体３６がアナログ時計である例を説明したが、デジタル時計であっても同様である。すなわち、利用者が肘を伸ばしたときに、デジタル時計であれば、一般に時刻を表示する数字が左右方向に並ぶため、文字盤が見易くなる。
【００２８】
次に、本発明の別実施例を説明する。
図７は図１の別実施例図であり、図１と共通部分については、符号を流用することで、詳細な説明は省略する。この腕時計装着可能なグローブ１０Ｂでは、帯体２１を延長して、延長部４８に面ファスナー４９を設け、手袋本体１７に貼り付けることができるようにした。すなわち、帯体２１と延長部４８とで、手袋本体１７の手首覆い部１６を、絞る締付けバンド５１にしたことを特徴とする。
【００２９】
ところで、手袋本体１７に、リストバンドと称する締付けバンド５１を標準的に備えるライダー用グローブは広く普及している。そこで、締付けバンド５１を利用して、その一部を腕時計保持部材２０に転用してもよい。腕時計保持部材２０を別に設けた場合に比べて、この締付けバンド５１を利用することで腕時計保持部材２０の材料費、取付費を圧縮することができ、安価なグローブを提供することができる。
【００３０】
図８は図７の要部の別実施例図であり、延長部４８は図左側へ延長させてもよい。すなわち、締付けバンド５１を右へ延ばすか、左に延ばすかは任意である。
【００３１】
尚、本発明のグローブは、自動二輪車に乗るライダーに好適であるが、スキーヤーなどのその他のスポーツマンが着用する手袋に適用できる。また、腕時計は、環状バンドを装着した腕時計だけでなく、分割形バンドを装着したものであってもよい。
【００３２】
そして、請求項１においては、腕時計保持部材は、実施例で説明した帯体が望ましいが、環状バンドを装着した腕時計が保持できれば、紐、網袋、透明袋であってもよい。腕時計保持部材の設置場所は、手首覆い部が好適であるが、手袋の甲、手袋の脇であってもよい。腕時計保持部材は、少なくとも一端が手袋本体に着脱可能に止められる。腕時計保持部材は、両端が手袋本体に着脱可能に止められることは差し支えない。
【００３３】
また、請求項３においては、腕時計は腕の長手中心軸の上又は左右の一方の何れであってもよい。請求項４においては、時計が利用者の身体中心に寄っていればよく、時計の向きは任意である。
【産業上の利用可能性】
【００３４】
本発明のグローブは、自動二輪車に乗るライダーに好適である。
【図面の簡単な説明】
【００３５】
【図１】本発明に係る腕時計装着可能なグローブの全体図である。
【図２】図１で説明した第１フラップの作用図である。
【図３】図１で説明した帯体の作用図である。
【図４】図３で説明した第２フラップの作用図である。
【図５】腕時計装着可能なグローブの作用説明図である。
【図６】腕時計装着可能なグローブの使用状態を説明する図である。
【図７】図１の別実施例図である。
【図８】図７の要部の別実施例図である。
【符号の説明】
【００３６】
１０、１０Ｂ…腕時計装着可能なグローブ、１６…手首覆い部、１７…手袋本体、２０…腕時計保持部材、２１…帯体、３６…時計本体、３７…環状バンド、３９…腕、４１…長手中心線、４２…時計の文字盤、４３…十二時、４４…六時、４５…バンドの延出方向（十二時４３と六時４４とを結ぶ線）。
【図１】
2008031607.tif 000003
【図２】
2008031607.tif 000004
【図３】
2008031607.tif 000005
【図４】
2008031607.tif 000006
【図５】
2008031607.tif 000007
【図６】
2008031607.tif 000008
【図７】
2008031607.tif 000009
【図８】
2008031607.tif 000010